(57)【要約】   本発明の釣用ルアー１３は、ルアー本体１の重心位置より後方に、プレート状小片１０が軸７によって取り付けられており、プレート状小片１０は軸７を中心に回転可能かつ上下動可能に遊びを持って取り付けられている。好ましくは、軸７はプレート状小片１０の取り付け穴１１を通してルアー本体１に固定され、プレート状小片１０が上下に動ける軸７の長さはプレート状小片１０の厚さよりも長く、かつプレート状小片１０の取り付け穴１１の直径は軸７の直径よりも大きい。これにより、小魚の自然の動きにより近い動きをし、一般魚にも好適であるが、ブラックバス等の大型魚を釣るのにとくに好適な釣用ルアーを提供する。
2011135736.tif 000002
【特許請求の範囲】
【請求項１】
ルアー本体の重心位置より後方に、プレート状小片が軸によって取り付けられており、
前記プレート状小片は前記軸を中心に回転可能かつ上下動可能に取り付けられている釣用ルアー。
【請求項２】
前記軸は、前記プレート状小片の取り付け穴を通して前記ルアー本体に固定され、
前記プレート状小片が上下に動ける長さは、前記プレート状小片の厚さよりも長く、かつ前記プレート状小片の取り付け穴の直径は前記軸の直径よりも大きい請求項１に記載の釣用ルアー。
【請求項３】
前記プレート状小片は、末広がりの形状であり、狭い部分付近に取り付け穴があけられている請求項１又は２に記載の釣用ルアー。
【請求項４】
前記プレート状小片は、取り付け穴の直径位置と最大幅の位置に平行線を引いたとき、最大幅の長さが、取り付け穴の直径を通る幅より１．５倍〜６倍の範囲である請求項１〜３のいずれか１項に記載の釣用ルアー。
【請求項５】
前記プレート状小片は、中央長さが５〜３０ｍｍである請求項１〜４のいずれか１項に記載の釣用ルアー。
【請求項６】
前記プレート状小片は、前記ルアー本体と、前記ルアー本体後部の針を取り付けるリング状ヘッドとの間に取り付けられている請求項１〜５のいずれか１項に記載の釣用ルアー。
【請求項７】
前記プレート状小片は、前記ルアー本体後部にビス止めされている請求項１〜５のいずれか１項に記載の釣用ルアー。
【請求項８】
前記プレート状小片は、金属プレート及び樹脂プレートから選ばれる少なくとも一つである請求項１〜７のいずれか１項に記載の釣用ルアー。
【請求項９】
前記ルアー本体は、樹脂製、金属製及び木材製から選ばれる少なくとも一つの硬質材料である請求項１〜８のいずれか１項に記載の釣用ルアー。
【請求項１０】
前記プレート状小片は、水流の抵抗により、前記軸を中心に回転かつ上下動し、前記ルアーに不規則で変幻自在な動きを与える請求項１〜９のいずれか１項に記載の釣用ルアー。
【発明の詳細な説明】
【技術分野】
【０００１】
本発明は、改良された釣用ルアーに関する。
【背景技術】
【０００２】
近年、木製やプラスチック製の釣用ルアー（疑似餌）を用いたルアーフィッシングが盛んに行われている。ルアーフィッシングでは、対象魚の種類等に応じて種々のルアーが使用されている。【０００３】
上記ルアーにはハードルアーと呼ばれるものがあり、この中にはスプーン、スピナー、プラグ、ジグがある。プラグとしては、下記のものを例示できる（非特許文献１）。
（１）水面上に浮かべて使用するルアー（トップウォーターともいう）として、ペンシルベイト、スウィッシャー、ポッパー、ノイジー等
（２）リップ付きで水中で使用するミノー、クランクベイト等
（３）その他として、バイブレーション・プラグ等【０００４】
また、特許文献１〜２ではリップ付きルアーが提案され、特許文献３ではペンシルベイトルアーが提案されている。これらの文献に記載されたルアーは、小魚を模倣しており、釣り対象の魚の興味を引くことを目的に作られている。
【先行技術文献】
【特許文献】
【０００５】
【特許文献１】特開２００５−１８５２５７号公報
【特許文献２】特開２００４−０５７２０３号公報
【特許文献３】特開２００１−０６１３７２号公報
【非特許文献】
【０００６】
【非特許文献１】橋口彰一郎ら編著、「新・ルアーフィッシング入門」、２００４年７月２８日、学習研究社、２８〜３９頁
【発明の概要】
【発明が解決しようとする課題】
【０００７】
しかし、前記従来のルアーは、形状や外観は小魚に類似しているが、小魚の自然の動きをするまでには至っておらず、ブラックバス等の大型魚を釣る場合のルアーとしては、さらに改良することが求められていた。【０００８】
本発明は、前記従来の問題を解決するため、小魚の自然の動きにより近い動きをし、一般魚にも好適であるが、ブラックバス等の大型魚を釣るのにとくに好適な釣用ルアーを提供する。
【課題を解決するための手段】
【０００９】
本発明の釣用ルアーは、ルアー本体の重心位置より後方に、プレート状小片が軸によって取り付けられており、前記プレート状小片は前記軸を中心に回転可能かつ上下動可能に取り付けられていることを特徴とする。
【発明の効果】
【００１０】
本発明の釣用ルアーは、プレート状小片が軸を中心に回転可能かつ上下動可能に、いわゆる遊びを持って取り付けられていることにより、水流の抵抗を受けたとき、プレート状小片が軸を中心に回転かつ上下動する。これにより、ルアーに不規則で変幻自在な動きを与える。ルアーはあたかも小魚が泳ぐような挙動をし、いわゆるルアーにアクションをさせることができ、例えば蛇行、千鳥、エスケープ・アクションしたり、急な方向転換をしたり、予測できないタイミングで変化する釣りの対象とする魚を誘うような動作をする。具体的には、上下左右に不規則で大きな変化をした泳ぎをする。よって、小型魚〜中型魚の一般魚にも好適であり、ブラックバス等の大型魚を釣るのにとくに好適なルアーを提供できる。
【図面の簡単な説明】
【００１１】
【図１】図１は本発明における一実施例のルアーの斜視図である。
【図２】図２Ａ−Ｂは、同ルアーのボディの尾部拡大断面図であり、図２Ａはプレート状小片が尾部よりさらに後ろに位置した図、図２Ｂはプレート状小片が腹部の下に位置した図である。
【図３】図３Ａ−Ｃは本発明における一実施例のプレート状小片の平面図であり、図３Ａは末広がりの形状であり狭い部分付近に取り付け穴があけられている例、図３Ｂは略扇状であり要の部分に取り付け穴があけられている例であり、図３Ｃはプレート状小片１０ｃの最大幅の部分が凹凸になっている例である。図３Ｄはプレート状小片の取り付け穴の直径位置と最大幅の位置に平行線を引いたときの好ましい長さ関係を説明する図である。
【図４】図４は本発明における別の実施例のルアーの斜視図である。
【図５】図５は本発明におけるさらに別の実施例のルアーの斜視図である。
【図６】図６は本発明の実施例１のルアーの遊泳軌道を示す説明図である。
【図７】図７は本発明の実施例２のルアーの遊泳軌道を示す説明図である。
【図８】図８は本発明の実施例３のルアーの遊泳軌道を示す説明図である。
【図９】図９は比較例１〜３のルアーの遊泳軌道を示す説明図である。
【発明を実施するための形態】
【００１２】
本発明において、ルアー本体とはルアーのボディをいう。このボディの重心位置より後方にプレート状小片を取り付ける。ボディの重心位置より後方にプレート状小片を取り付けることにより、プレート状小片は船の舵のような役目をし、様々な方向にルアーを導く。
【００１３】
プレート状小片の取り付け方は、例えばリアフック側のフックハンガーを利用して、プレート状小片の穴にフックハンガーの軸を入れて取り付けてもよいし、プレート状小片の穴にビスを入れて取り付けても良い。前記の場合、軸よりも太くなっているフックハンガー又はビスの端部により、プレート状小片は外れることはない。
【００１４】
プレート状小片は遊びを持って取り付けられており、軸を中心に回転可能かつ上下動可能に取り付けられている。これにより、水流の抵抗を受けたとき、プレート状小片が軸を中心に回転かつ上下動する。これにより、舵のような役目のプレート状小片は、水流抵抗により様々な方向に動き、これに応じてルアーを様々な方向に導く作用をする。
【００１５】
軸は、プレート状小片の取り付け穴を通してルアー本体に固定されている。ルアー本体に空洞がある場合は、軸の周囲から内部に水が入らないように、軸の周囲を樹脂により封止しておくのが好ましい。プレート状小片が軸に沿って上下できる長さは、プレート状小片の厚さよりも長く、かつプレート状小片の取り付け穴の直径は軸の直径よりも大きくしておく。これにより、プレート状小片はより効果的に軸を中心に回転可能かつ上下動可能に遊びを持った状態で取り付けられる。
【００１６】
プレート状小片は、末広がりの形状であり、狭い部分付近に取り付け穴があけられているのが好ましい。プレート状小片は、略扇状であってもよい。この場合は、要の部分に取り付け穴があけられている。プレート状小片は、１０°〜８０°の角度及び長さ５〜３０ｍｍを有する略扇状又は多角形状であってもよい。これらの形状であれば、より複雑に水流抵抗を受けやすい。
【００１７】
プレート状小片の材料は、金属プレートであってもよいし、樹脂プレートであってもよい。厚さは０．１ｍｍ〜１ｍｍ程度が好ましい。プレート状小片はシート状物又はフィルムから打ち抜き又は切り出して成形することができる。プレート状小片は平らであってもよいし、湾曲していてもよい。湾曲方向は任意のものとすることができる。プレート状小片は強い水流抵抗を受けても変形などさせないためには、金属製プレートが好ましい。
【００１８】
プレート状小片が固定軸を中心に回転可能かつ上下動可能に遊びを持って取り付けるため、軸ヘッドとルアー本体間の距離（軸支長さ）は、プレート状小片の厚さよりも１．０１〜５倍程度長いことが好ましい。さらに、プレート状小片の取り付け穴の直径は固定軸のヘッドより小さければよい。好ましくは、プレート状小片の取り付け穴の直径は固定軸の直径よりも１．０１〜３倍程度大きくする。
【００１９】
本発明のルアーは、ハードルアーと呼ばれるルアーであれば、どのようなものにも適用できる。例えばスプーン、スピナー、プラグ、ジグ等であり、プラグとしては、ペンシルベイト、スウィッシャー、ポッパー、ノイジー、ミノー、クランクベイト、メタルジグ等に適用できる。ルアー本体（ボディ）の材料は、樹脂製、金属製、木材製等いかなるものであってもよい。
【００２０】
以下図面によって説明する。図１は本発明における一実施例のルアーの斜視図である。このルアーはペンシルベイト１３である。このルアーの基本形は、ボディ１に目の形をしたアイ２が描かれており、口部にスプリットリング３，４が接続されている。腹部にはフックハンガー５がボディ１に固定され、このフックハンガー５にフロントフック６が接続されている。フロントフック６は、ダブルフックでもトリプルフックでもよい。フックハンガー５の固定部近辺に重心９がある。尾部にはフックハンガー７がボディ１に固定され、このフックハンガー７にリアフック８が接続されている。リアフック８もダブルフックでもトリプルフックでもよい。このような基本形のルアーに、プレート状小片１０を取り付けたのが本発明の実施例品である。
【００２１】
まず、プレート状小片１０はボディ１の重心位置９より後方に取り付ける。この実施例においては、プレート状小片１０はリアフック８を取り付けるためのフックハンガー７に取り付けてある。具体的には、プレート状小片１０の片端の狭幅部分に取り付け穴１１をあけ、ここにフックハンガー７の軸を通す。
【００２２】
図２Ａ−Ｂは、図１に示すルアーのボディ１の尾部拡大断面図である。図２Ａはプレート状小片１０が尾部よりさらに後ろに位置した図であり、図２Ｂはプレート状小片１０が腹部の下に位置した図である。図１に示すリアフック８は図示を省略した。図２Ａにおいて、フックハンガー７は埋め込み部７ａと軸部７ｂとヘッド部７ｃで構成されており、ヘッド部７ｃ側にはワッシャ１２を入れている。ワッシャ１２は使わなくてもよい。軸部７ｂはプレート状小片１０が自由に上下できる長さＴを有しており、プレート状小片１０の厚さｔに比較して１．０１〜５倍程度が好ましい。プレート状小片１０の取り付け穴１１の直径は軸部７ｂの直径よりも１．０１〜３倍程度大きいことが好ましい。このようにすることにより、プレート状小片１０は軸部７ｂを中心に３６０°回転が可能であり、かつ上下動可能に遊びを持って取り付けることができた。図２Ａの位置において、プレート状小片１０は上端ａ、中央ｂ、下端ｃまで上下動し、上端ａ〜下端ｃまでの角度θ１の範囲で動く。図２Ｂの位置では、腹部が邪魔して上側には行かないが、下側には大きく開き、角度θ２の角度で動く。このように、プレート状小片１０の回転位置により上下動の位置が異なり、これによりルアーの動きを複雑なものとすることができる。
【００２３】
図３Ａ−Ｃは本発明における一実施例のプレート状小片の平面図であり、図３Ａはプレート状小片１０ａが末広がりの形状であり、狭い部分付近に取り付け穴１１があけられている例、図３Ｂはプレート状小片１０ｂが略扇状であり要の部分に取り付け穴１１があけられている例、図３Ｃはプレート状小片１０ｃの最大幅の部分が凹凸になっている例である。図３Ａ−Ｃにおいて取り付け穴１１の直径は、フックハンガーの軸部７ｂの直径より大きく開けられている。図３Ｄはプレート状小片１０ａの取り付け穴の直径位置と最大幅の位置に平行線を引いたときの好ましい長さ関係を説明する図であり、最大幅の長さＬ２が、取り付け穴１１の直径を通る幅Ｌ１より１．５倍〜６倍であることが好ましく、さらに好ましくは２〜５倍である。また、プレート状小片１０ａは、中央長さＬ３が５〜３０ｍｍであることが好ましく、さらに好ましくは８〜２０ｍｍである。この中央長さＬ３は、プレート状小片１０ａが左右対称形の場合、取り付け穴１１の直径を通る幅Ｌ１と最大幅の長さＬ２の中央の位置を通る線で測定するのが好ましい。
【００２４】
図４は本発明における別の実施例のルアーの斜視図であり、クランクベイト１４のボディ１の尾部に取り付けたプレート状小片１０の例である。クランクベイト１４にはリップ１５があるのと、プレート状小片１０の上下にワッシャ１２ａ，１２ｂの弧状面が向くように取り付けた以外は、図１〜２と同一である。図５は本発明における別の実施例のルアーの斜視図であり、ミノー・プラグ１６のボディ１の腹部に取り付けたプレート状小片１０の例である。プレート状小片１０はビス１７によって取り付けられている。
【実施例】
【００２５】
以下、実施例を用いて本発明をさらに具体例に説明する。なお、本発明は下記の実施例に限定されるものではない。【００２６】
（実施例１）
図３Ａに示すプレート状小片１０を作成した。このプレート状小片１０の材質は、厚さ０．５ｍｍのニッケルメッキを施した真鍮からなる金属プレートとした。大きさは、もっとも幅の広い部分（図３ＤのＬ２）が１５ｍｍ、長さ（図３ＤのＬ３）が２０ｍｍ、取り付け穴１１の直径が２ｍｍであった。図３ＤにおけるＬ２／Ｌ１は２．５であった。また、図２Ａにおける固定軸７ｂの長さＴは１ｍｍ、直径は１．２７ｍｍとした。図２Ａに示すように、プレート状小片１０がボディの後ろに位置したとき、中央ｂから上端ａと下端ｃまでの角度は約±２５°であった。すなわち開き角θ１は約５０°であった。これに対して図２Ｂの位置では、プレート状小片１０は腹部が邪魔して上側には行かないが、下側には大きく開き、上端ｄと下端ｅまでの角度θ２の開き角度は４０°であった。図２Ａの位置に比べて開く角度は狭いが、下側には大きく開くため、ルアーに与える影響は大きいと推測される。このように、プレート状小片１０の回転位置により上下動の位置が異なり、これによりルアーの動きを複雑なものとすることができる。【００２７】
プレート状小片１０を図１〜図２に示すように長さ５５ｍｍのペンシルベイト１３に取り付け、実際にラインで引いて水中で使用した。この結果、驚くべきことに、上下左右に不規則で大きな変化をした泳ぎをし、変幻自在な動きをし、あたかも小魚が泳ぐような挙動であり、いわゆるルアーにアクションをさせることができ、例えば蛇行、千鳥、エスケープ・アクションしたり、急に方向を変えたり、しゃくり上げたりという釣りの対象とする魚を誘うような動作した。このような複雑な動きを数値化することは難しいが、リールで通常の使用速度約０．６〜１．２ｍ／秒の速度で引いたとき、図６に示すとおり最大幅約１００ｃｍの予測できない不規則な動きが認められた。そして、釣りの成果は従来のルアーには見られないほど顕著なものであり、小型魚〜中型魚の一般魚にも好適であり、ブラックバス等の大型魚を釣るのにとくに好適であることが確認できた。これは、プレート状小片１０は船の舵のような役目をし、様々な方向にルアーを導くからであると推認される。【００２８】
（比較例１）
実施例１においてプレート状小片１０を取り付けていない従来品のルアーを、実施例１と同一の条件によりリールで引いた。この結果、図９に示すとおり最大幅約５ｃｍの直線的かつ規則的な単調な泳ぎであった。【００２９】
（実施例２）
実施例１のプレート状小片１０を図３Ｂに変えた以外は実施例１と同一のプレート状小片１０を図４に示すようにクランクベイト１４の尾部に取り付けた。クランクベイト１４のリップの先端から尾部までの長さは９２ｍｍであった。このルアーを用いて実施例１と同じ条件で引いて水中で使用した。この結果、図７に示すとおり最大幅約８０ｃｍの予測できない不規則な動きが認められた。また、実施例１のルアーと同様に釣り成果も高かった。【００３０】
（比較例２）
実施例２においてプレート状小片１０を取り付けていない従来品のルアーを、実施例２と同一の条件によりリールで引いた。この結果、図９に示すとおり最大幅約５ｃｍの直線的かつ規則的な単調な泳ぎであった。【００３１】
（実施例３）
図３Ａに示すプレート状小片１０を図５に示すようにミノー・プラグ１６の腹部にビス１７によりに取り付けた。このプレート状小片１０の材質は、厚さ０．５ｍｍのニッケルメッキを施した真鍮からなる金属プレートとした。大きさは、もっとも幅の広い部分（図３のＬ２）が１１ｍｍ、中央長さ（図３のＬ３）が１７ｍｍ、図３のＬ２／Ｌ１は２．２であった。取り付け穴１１の直径は２ｍｍとした。また、図２Ａにおける固定軸７ｂの長さＴは１ｍｍ、直径は１．５ｍｍとした。ミノー・プラグ１６の全長は１００ｍｍであった。このルアーを用いて実際にラインで引いて水中で使用した。この結果、図８に示すとおり最大幅約７０ｃｍの予測できない不規則な動きが認められた。また、実施例１のルアーと同様に釣り成果も高かった。【００３２】
（比較例３）
実施例３においてプレート状小片１０を取り付けていない従来品のルアーを、実施例３と同一の条件によりリールで引いた。この結果、図９に示すとおり最大幅約５ｃｍの直線的かつ規則的な単調な泳ぎであった。【００３３】
以上のとおり、従来のルアーではライン（糸）を引っ張る方向に直線的にしか動かないので、ルアーの動きに慣れてしまった魚（スレた魚）に対しては、釣果は上げられなかったが、本発明のルアーではあらゆる方向に不規則に動くので、逃げ惑う小魚のようにルアーを演出し、捕食行動を起こさせたり、また予想外の動きに反射的に対象魚を反応させることができ、スレた魚に対しても釣果は上げることができる。
【産業上の利用可能性】
【００３４】
本発明のルアーは、ハードルアーと呼ばれるルアーであればどのようなものにも適用できる。例えばスプーン、スピナー、プラグ、ジグ等であり、プラグとしては、ペンシルベイト、スウィッシャー、ポッパー、ノイジー、ミノー、クランクベイト、メタルジグ等に適用できる。ルアーの材料は、樹脂製、金属製、木材製等いかなるものであってもよい。
【符号の説明】
【００３５】
１  ボディ
２  アイ
３，４  スプリットリング
５，７  フックハンガー
６  フロントフック
８  リアフック
９  重心
１０，１０ａ，１０ｂ，１０ｃ  プレート状小片
１１  取り付け穴
１２，１２ａ，１２ｂ  ワッシャ
１３  ペンシルベイト
１４  クランクベイト
１５  リップ
１６  ミノー・プラグ
１７  ビス
Ｌ１  取り付け穴の直径を通る幅
Ｌ２  最大幅の長さ
Ｌ３  中央長さ
【図１】
2011135736.tif 000003
【図２】
2011135736.tif 000004
【図３】
2011135736.tif 000005
【図４】
2011135736.tif 000006
【図５】
2011135736.tif 000007
【図６】
2011135736.tif 000008
【図７】
2011135736.tif 000009
【図８】
2011135736.tif 000010
【図９】
2011135736.tif 000011
【国際調査報告】
2011135736.tif 000012
2011135736.tif 000013
2011135736.tif 000014
2011135736.tif 000015